【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
封筒の片面に画像を形成する片面印刷モードと、封筒を自動的に反転し封筒の両面に画像を形成する両面印刷モードとを実行可能であって、フラップを有する封筒に対してトナー像を形成する画像形成ユニットと、
前記画像形成ユニットに供給する封筒を載置する載置部と、
前記画像形成ユニットによりトナー像が形成された封筒を定着ニップ部で挟持し搬送方向に搬送して前記封筒に定着する定着部と、
表示部と、
前記フラップが開いている封筒に対し前記両面印刷モードを行う際に、二面目のトナー像定着時に前記フラップが前記搬送方向の上流側に位置する向きで前記封筒が前記定着ニップ部に進入するように、前記封筒の向きを指定した状態で、前記載置部に載置する前記封筒の載置方法を前記表示部に表示する制御部と、を備える、
ことを特徴とする画像形成装置。
【請求項２】
封筒の種類に関する情報を取得する取得部を備え、
前記制御部は、前記フラップが開いている封筒に対し前記片面印刷モードを行う際に、前記取得部により取得された前記封筒の種類に関する情報に基づいて前記封筒の向きを指定した状態で、前記載置部に載置する前記封筒の載置方法を前記表示部に表示する、
ことを特徴とする請求項１に記載の画像形成装置。
【請求項３】
前記制御部は、前記フラップが開いている封筒に対し前記片面印刷モードを行う際に、前記フラップが前記搬送方向の上流側に位置する封筒の向きで前記定着ニップ部に進入するように前記封筒の向きを指定した状態で、前記載置部に載置する前記封筒の載置方法を前記表示部に表示する、
ことを特徴とする請求項１に記載の画像形成装置。
【請求項４】
封筒の片面に画像を形成する片面印刷モードと、封筒を自動的に反転し封筒の両面に画像を形成する両面印刷モードを実行可能であって、フラップを有する封筒に対してトナー像を形成する画像形成ユニットと、
前記画像形成ユニットに供給する封筒を載置する載置部と、
前記画像形成ユニットによりトナー像が形成された封筒を定着ニップ部で挟持し搬送方向に搬送して前記封筒に定着する定着部と、
前記定着ニップ部へ前記封筒を案内するガイド部と、
表示部と、
前記フラップが開いている封筒に対し前記両面印刷モードを行う際に、二面目のトナー像定着時に、前記フラップが形成されている面の反対側の面が前記ガイド部に接触し、且つ、前記フラップが前記搬送方向の下流側に位置する向きで前記封筒が前記定着ニップ部に進入するように、前記載置部に載置する前記封筒の載置方法を前記表示部に表示する制御部と、を備える、
ことを特徴とする画像形成装置。
【請求項５】
封筒の片面に画像を形成する片面印刷モードと、封筒を自動的に反転し封筒の両面に画像を形成する両面印刷モードとを実行可能であって、フラップを有する封筒に対してトナー像を形成する画像形成ユニットと、
前記画像形成ユニットに供給する封筒を載置する載置部と、
前記画像形成ユニットによりトナー像が形成された封筒を定着ニップ部で挟持し搬送方向に搬送して前記封筒に定着する定着部と、
前記定着ニップ部へ前記封筒を案内するガイド部と、
表示部と、
前記フラップが閉じられて前記搬送方向に沿って位置された封筒に対し前記両面印刷モードを行う際に、一面目のトナー像定着時に前記フラップが形成されている面が前記ガイド部に接触し、二面目のトナー像定着時に前記フラップが形成されている面の反対側の面が前記ガイド部に接触するように、前記載置部に載置する前記封筒の載置方法を前記表示部に表示する制御部と、を備える、
ことを特徴とする画像形成装置。
【請求項６】
封筒の種類に関する情報を取得する取得部を備える、
ことを特徴とする請求項４又は５に記載の画像形成装置。
【請求項７】
前記制御部は、前記フラップが開いている封筒に対し前記片面印刷モードを行う際に、前記取得部で取得した前記封筒の種類に関する情報に基づいて前記封筒の向きを指定した状態で、前記載置部に載置する前記封筒の載置方法を前記表示部に表示する、
ことを特徴とする請求項６に記載の画像形成装置。
【請求項８】
前記載置部は、手差しトレイとカセットとを有し、
前記制御部は、前記封筒が前記手差しトレイに載置される場合に前記封筒の向きを指定する前記封筒の載置方法と、前記封筒が前記カセットに載置される場合に前記封筒の向きを指定する前記封筒の載置方法を、前記表示部に表示する、
ことを特徴とする請求項１乃至７のいずれか１項に記載の画像形成装置。
【請求項９】
前記制御部は、前記封筒の種類を選択するための画面を前記表示部に表示する、
ことを特徴とする請求項１乃至８のいずれか１項に記載の画像形成装置。
【請求項１０】
前記制御部は、前記両面印刷モードを選択するための画面を前記表示部に表示する、
ことを特徴とする請求項１乃至９のいずれか１項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、電子写真方式を用いたプリンタ、複写機、ファクシミリあるいは複合機などの画像形成装置に関する。
【手続補正４】
【補正対象書類名】明細書
【補正対象項目名】０００５
【補正方法】変更
【補正の内容】
【０００５】
本発明は上記問題に鑑みてなされたもので、フラップを有する封筒を自動的に反転して両面印刷する際に、封筒にしわを生じさせることなく印刷が適切に行われる封筒の載置方法を表示部に表示可能な画像形成装置の提供を目的とする。
【手続補正５】
【補正対象書類名】明細書
【補正対象項目名】０００６
【補正方法】変更
【補正の内容】
【０００６】
本発明の一実施形態に係る画像形成装置は、封筒の片面に画像を形成する片面印刷モードと、封筒を自動的に反転し封筒の両面に画像を形成する両面印刷モードとを実行可能であって、フラップを有する封筒に対してトナー像を形成する画像形成ユニットと、前記画像形成ユニットに供給する封筒を載置する載置部と、前記画像形成ユニットによりトナー像が形成された封筒を定着ニップ部で挟持し搬送方向に搬送して前記封筒に定着する定着部と、表示部と、前記フラップが開いている封筒に対し前記両面印刷モードを行う際に、二面目のトナー像定着時に前記フラップが前記搬送方向の上流側に位置する向きで前記封筒が前記定着ニップ部に進入するように、前記封筒の向きを指定した状態で、前記載置部に載置する前記封筒の載置方法を前記表示部に表示する制御部と、を備える、ことを特徴とする。
【手続補正６】
【補正対象書類名】明細書
【補正対象項目名】０００７
【補正方法】変更
【補正の内容】
【０００７】
本発明の一実施形態に係る画像形成装置は、封筒の片面に画像を形成する片面印刷モードと、封筒を自動的に反転し封筒の両面に画像を形成する両面印刷モードを実行可能であって、フラップを有する封筒に対してトナー像を形成する画像形成ユニットと、前記画像形成ユニットに供給する封筒を載置する載置部と、前記画像形成ユニットによりトナー像が形成された封筒を定着ニップ部で挟持し搬送方向に搬送して前記封筒に定着する定着部と、前記定着ニップ部へ前記封筒を案内するガイド部と、表示部と、前記フラップが開いている封筒に対し前記両面印刷モードを行う際に、二面目のトナー像定着時に、前記フラップが形成されている面の反対側の面が前記ガイド部に接触し、且つ、前記フラップが前記搬送方向の下流側に位置する向きで前記封筒が前記定着ニップ部に進入するように、前記載置部に載置する前記封筒の載置方法を前記表示部に表示する制御部と、を備える、ことを特徴とする。
本発明の一実施形態に係る画像形成装置は、封筒の片面に画像を形成する片面印刷モードと、封筒を自動的に反転し封筒の両面に画像を形成する両面印刷モードとを実行可能であって、フラップを有する封筒に対してトナー像を形成する画像形成ユニットと、前記画像形成ユニットに供給する封筒を載置する載置部と、前記画像形成ユニットによりトナー像が形成された封筒を定着ニップ部で挟持し搬送方向に搬送して前記封筒に定着する定着部と、前記定着ニップ部へ前記封筒を案内するガイド部と、表示部と、前記フラップが閉じられて前記搬送方向に沿って位置された封筒に対し前記両面印刷モードを行う際に、一面目のトナー像定着時に前記フラップが形成されている面が前記ガイド部に接触し、二面目のトナー像定着時に前記フラップが形成されている面の反対側の面が前記ガイド部に接触するように、前記載置部に載置する前記封筒の載置方法を前記表示部に表示する制御部と、を備える、ことを特徴とする。
【手続補正７】
【補正対象書類名】明細書
【補正対象項目名】０００８
【補正方法】変更
【補正の内容】
【０００８】
本発明によれば、フラップを有する封筒を自動的に反転して両面印刷する際に適切な封筒の載置方法を表示部に表示するので、封筒に対する印刷を封筒にしわを生じさせることなく適切に行うことができる。